(57)【特許請求の範囲】
【請求項１】
遊技機の製造番号を印刷したシールを担持しているロール状台紙を、必要枚数のシールを担持した帯状台紙に切り分けるための装置であって、以下の構成を備えていることを特徴とする遊技機製造番号シール準備装置。
（１−１）少なくとも、受注契約先のホール名と、当該ホールに納入すべき遊技機の製造番号とが対応付けられた契約データを管理する契約データ管理手段を備えていること。
（１−２）前記ロール状台紙から切り分けられる帯状台紙に担持されるシールの枚数の最大値を設定しておき、遊技機を納入すべきホール毎に、前記契約データ管理手段が管理している契約データから遊技機の受注台数を特定すると共に、該受注台数及び前記最大値に基づいて、前記ロール状台紙から切り分けられた帯状台紙に担持されるシールの枚数が前記最大値を超えず、かつ、当該ホール用に準備すべき帯状台紙の本数を最小とする様に切断条件を決定する切断条件決定手段を備えていること。
（１−３）前記切断条件決定手段の決定した切断条件に従って切断装置を駆動制御して前記ロール状台紙から前記帯状台紙を切り分ける動作制御手段を備えていること。
【請求項２】
さらに、以下の構成をも備えていることを特徴とする請求項１記載の遊技機製造番号シール準備装置。
（２−１）前記切断条件決定手段は、遊技機の契約台数が前記最大値を超えるホールに対してシールを準備する場合には、当該ホールに納入する遊技機用に準備する製造番号シールを担持した複数本の帯状台紙同士の長さの差が小さくなる様に、前記切断条件を決定する手段として構成されていること。
【請求項３】
さらに、以下の構成をも備えていることを特徴とする請求項１又は２記載の遊技機製造番号シール準備装置。
（３−１）前記ロール状台紙は、遊技機の枠を管理する枠管理用のシールを担持したもの、遊技機の遊技盤を管理する遊技盤管理用のシールを担持したもの、及び遊技機の制御基板を管理する基板管理用のシールを担持したもの、の３種類からなること。
（３−２）前記切断装置は、前記３種類のロール状台紙に対して各１台となる様に３台備えられていること。
【請求項４】
さらに、以下の構成をも備えていることを特徴とする請求項３記載の遊技機製造番号シール準備装置。
（４−１）前記切断条件決定手段は、前記３台の切断装置毎に前記最大値を変えることができる様に構成されていること。
【請求項５】
さらに、以下の構成をも備えていることを特徴とする請求項１〜４のいずれか記載の遊技機製造番号シール準備装置。
（５−１）前記切断装置によって前記ロール状台紙から前記帯状台紙を切り分ける際に、遊技機の製造月を記入すべきシールを担持したロール状台紙について、遊技機の製造月を印刷する印刷装置をも備えていること。
（５−２）前記動作制御手段は、前記切断条件決定手段の決定した切断条件に従って前記切断装置で帯状台紙を切り分ける際に、前記印刷装置を備えているロール状台紙については、前記切り分けられる帯状台紙に担持されているシールに対して遊技機の製造月を印刷する様に、前記印刷装置に対する印刷指令と前記切断装置に対する切断指令とを並行して指令する手段として構成されていること。
【請求項６】
さらに、以下の構成をも備えていることをことを特徴とする請求項１〜５のいずれか記載の遊技機製造番号シール準備装置。
（６−１）前記切断条件決定手段は、受注台数と前記最大値とから結果が整数値となる様に総切断回数を算出し、該総切断回数と前記受注台数とから結果が整数値となる様に各帯状台紙に担持すべきシールの枚数が多くとも二種類になる様に算出し、該算出されたシールの枚数が二種類になったときは、その多い方の枚数に前記総切断回数を乗じた値から契約台数を減じた値を、シール担持枚数の少ない帯状台紙の本数とし、前記総切断回数から定まる本数の残りをシール担持枚数の多い帯状台紙の本数とする様に切断条件を決定する手段として構成されていること。
【発明の詳細な説明】
【技術分野】
【０００１】
本発明は、パチンコ機、アレンジボール機、雀球機、メダルを用いたスロットマシン、球を用いたスロットマシン等の遊技機に対して貼付すべき製造番号シールを、受注契約したホール毎に準備するための装置に関する。
【背景技術】
【０００２】
遊技機の出荷工程にあっては、特許文献１に記載されるように、製造番号シールをつける必要がある。この製造番号シール（遊技盤番号・枠番号・基板管理番号）は、遊技機に関する組合から購入し、受注契約毎に定められた遊技機の製造月を記して出荷するルールとなっている。なお、製造番号シールのうち基板管理番号シールには製造月を記す必要はないこととなっている。
【０００３】
そして、製造番号（保証番号）は顧客（ホール）との受注契約時に決定され、特定のホールに特定の製造番号シールが貼られた遊技機を出荷することが義務付けられている。
【特許文献１】特開２００３−２６０１７０号公報（図４）
【発明の開示】
【発明が解決しようとする課題】
【０００４】
そこで、確実に特定のホールに特定の製造番号シールが貼られた遊技機を出荷するために、製造番号シールを受注契約毎に切り分けて準備しておく必要がある。従来、この切り分け作業は、手作業で行われていたため、作業効率の悪さや、切り間違いによる製造番号シールの紛失等の問題を抱えていた。
【０００５】
また、ホール毎に契約台数が異なるため、契約台数毎に切断した製造番号シールの長さに統一性が無く、シールの保管性が悪いという問題が生じる。例えば、長いものは曲がったり、保管スペースの確保に支障を来す等の問題である。
【０００６】
そこで、本願は、遊技機を受注契約毎に出荷する際に必要となる製造番号シールを、手作業によらずに、容易に準備することができる様にすることを第１の目的とする。また、この様にして自動化装置によってロール状台紙から切り分けられた帯状台紙の長さを平均化することを第２の目的とする。さらに、ロール状台紙を帯状台紙に切り分けるだけでなく、製造月をシールに印刷できる様にすることを第３の目的とする。
【課題を解決するための手段】
【０００７】
上記第１の目的を達成するためになされた本発明の遊技機製造番号シール準備装置は、遊技機の製造番号を印刷したシールを担持しているロール状台紙を、必要枚数のシールを担持した帯状台紙に切り分けるための装置であって、以下の構成を備えていることを特徴とする。
（１−１）少なくとも、受注契約先のホール名と、当該ホールに納入すべき遊技機の製造番号とが対応付けられた契約データを管理する契約データ管理手段を備えていること。
（１−２）前記ロール状台紙から切り分けられる帯状台紙に担持されるシールの枚数の最大値を設定しておき、遊技機を納入すべきホール毎に、前記契約データ管理手段が管理している契約データから遊技機の受注台数を特定すると共に、該受注台数及び前記最大値に基づいて、前記ロール状台紙から切り分けられた帯状台紙に担持されるシールの枚数が前記最大値を超えず、かつ、当該ホール用に準備すべき帯状台紙の本数を最小とする様に切断条件を決定する切断条件決定手段を備えていること。
（１−３）前記切断条件決定手段の決定した切断条件に従って切断装置を駆動制御して前記ロール状台紙から前記帯状台紙を切り分ける動作制御手段を備えていること。
【０００８】
かかる構成を備えた本発明の遊技機製造番号シール準備装置によれば、契約データ管理手段で、少なくとも、受注契約先のホール名と、当該ホールに納入すべき遊技機の製造番号とが対応付けられた契約データを管理しているので、切断条件決定手段は、遊技機を納入すべきホール毎に契約データから遊技機の受注台数を特定することができる。また、切断条件決定手段は、設定した最大値を超えず、かつ、本数を最小とする様に、ロール状台紙から帯状台紙を切り分けるための切断条件を決定する。そして、動作制御手段が、この切断条件に従って切断装置を駆動制御してロール状台紙から帯状台紙を切り分ける。この様に、本発明の遊技機製造番号シール準備装置によれば、人手によってハサミで切り分けるのではなく、機械に対してホール名を入力してやるだけで、契約毎に製造番号シールを担持した帯状台紙を準備することができ、作業の効率及び作業の正確性が向上する。
【０００９】
この製造番号シールは、切り分けた後、保管し、出荷前に遊技機の所定位置に貼付するので、極端に長かったり短かったりすると、保管や管理が煩雑になる。これに対し、本発明の装置によれば、帯状台紙に担持されるシールの最大枚数を設定し、切断条件決定手段は、この最大値を超えず、かつ、本数を最小とする様に切り分けるための切断条件を決定しているので、極端に長い帯状台紙が出来て保管が困難になったり、本数が多くなって管理が困難になるといった問題を生じない。即ち、本発明の装置によれば、製造番号シールの管理・保管という点において、ホール毎の契約台数の相違に影響されず、極力均一化させることができるのである。
【００１０】
ここで、第１の目的に加えて第２の目的をも達成する様に、本発明の遊技機製造番号シール準備装置は、さらに、以下の構成をも備えることが望ましい。
（２−１）前記切断条件決定手段は、遊技機の契約台数が前記最大値を超えるホールに対してシールを準備する場合には、当該ホールに納入する遊技機用に準備する製造番号シールを担持した複数本の帯状台紙同士の長さの差が小さくなる様に、前記切断条件を決定する手段として構成されていること。
【００１１】
本発明の装置では、ロール状台紙から切り分けられる帯状台紙の担持するシールの枚数の最大値を設定しているので、この最大値を超える台数の遊技機を受注契約しているホールに対しては、帯状台紙が複数本必要となる。この様な場合に、（２−１）の構成をも備える装置では、複数本に切り分けられた帯状台紙同士の長さの差を小さくしてほぼ同じ長さのものとしてシールを準備するので、極端に短いものが存在しなくなり、シールの紛失防止に寄与することができる。
【００１２】
また、本発明の遊技機製造番号シール準備装置は、さらに、以下の構成をも備えるとよい。
（３−１）前記ロール状台紙は、遊技機の枠を管理する枠管理用のシールを担持したもの、遊技機の遊技盤を管理する遊技盤管理用のシールを担持したもの、及び遊技機の制御基板を管理する基板管理用のシールを担持したもの、の３種類からなること。
（３−２）前記切断装置は、前記３種類のロール状台紙に対して各１台となる様に３台備えられていること。
【００１３】
ここで、遊技機は、公安や組合等の規則などにより、その「枠」、「遊技盤」及び「制御基板」に対して、これらを管理するために１台の遊技機について唯一となる様に製造番号を印刷したシールを貼付しなければならないこととなっている。従って、遊技機製造番号シールを準備する場合、枠管理用、遊技盤管理用及び基板管理用のシールが必要となる。上述の様に、（３−１）及び（３−２）の構成を備えることで、これら３種類の管理用シールの切り分け作業を並行して実施することができ、シールを準備する作業の工数を節減することができる。管理が煩雑にならず、正確である。
【００１４】
ここで、枠管理用のシールと基板管理用のシールでは、シール自体の大きさが相違する。そこで、３種類のシールを準備する装置では、以下の構成をも備えるとよい。
（４−１）前記切断条件決定手段は、前記３台の切断装置毎に前記最大値を変えることができる様に構成されていること。
【００１５】
かかる構成を備えることで、３種類のシールの内、シール単体の面積の大きいシールは、シール単体の面積の小さいシールよりも一本の帯状台紙に担持すべき最大値を小さく設定しておくことにより、枠管理用のシールを担持した帯状台紙と、遊技盤管理用のシールを担持した帯状台紙と、基板管理用のシールを担持した帯状台紙とが、いずれもほぼ同じ長さとなる様にシールを準備することができる。これにより、紛失を防止する上での作用・効果が、より的確に発揮されることになる。
【００１６】
また、第３の目的をも達成するには、本発明の遊技機製造番号シール準備装置において、さらに、以下の構成をも備えるとよい。
（５−１）前記切断装置によって前記ロール状台紙から前記帯状台紙を切り分ける際に、遊技機の製造月を記入すべきシールを担持したロール状台紙について、遊技機の製造月を印刷する印刷装置をも備えていること。
（５−２）前記動作制御手段は、前記切断条件決定手段の決定した切断条件に従って前記切断装置で帯状台紙を切り分ける際に、前記印刷装置を備えているロール状台紙については、前記切り分けられる帯状台紙に担持されているシールに対して遊技機の製造月を印刷する様に、前記印刷装置に対する印刷指令と前記切断装置に対する切断指令とを並行して指令する手段として構成されていること。
【００１７】
この様な印刷装置としては、例えば、ラベルプリンタを用いるとよい。特に、ロール状の用紙を切断する切断装置付きのラベルプリンタを用いることが望ましい。切断装置付きのラベルプリンタならば、その設置場所を、切り分けだけを自動化した装置と大差なく構成することができる。ここで、基板管理用の台紙については、製造月の印刷は不要であるから、切断装置付きのラベルプリンタは、枠管理用及び遊技盤管理用のシールを担持した台紙についてだけ備えていれば足りる。なお、（５−１）及び（５−２）の構成をも備えた方がよいのは、以下の理由による。
【００１８】
従来の遊技機製造番号シールの準備作業においては、必要枚数の製造番号シールの貼付され帯状台紙をロール状台紙からハサミで切り分けるだけでなく、さらに、速乾性の高いインキを用いたスタンプによる製造月記入作業が必要であった。これに対し、上述の（５−１）及び（５−２）の構成をも備えた装置とすることにより、スタンプ押印作業をなくすることができる。また、製造月の印刷と同時に、切り分けのための切断動作を並行して実行させることができるので、より一層の作業効率の改善効果が発揮される。
【００１９】
なお、本発明の遊技機製造番号シール準備装置においては、さらに、以下の構成をも備える様にすることができる。
（６−１）前記切断条件決定手段は、受注台数と前記最大値とから結果が整数値となる様に総切断回数を算出し、該総切断回数と前記受注台数とから結果が整数値となる様に各帯状台紙に担持すべきシールの枚数が多くとも二種類になる様に算出し、該算出されたシールの枚数が二種類になったときは、その多い方の枚数に前記総切断回数を乗じた値から契約台数を減じた値を、シール担持枚数の少ない帯状台紙の本数とし、前記総切断回数から定まる本数の残りをシール担持枚数の多い帯状台紙の本数とする様に切断条件を決定する手段として構成されていること。
【００２０】
この（６−１）の切断条件決定手段の実施する演算処理を手順として書き直すと、以下の手順１から手順５までを順次実行するものとして具体化することができる。
【００２１】
［手順１］  受注台数を前記最大値で除した値の小数点以下を切り上げて総切断回数を算出する。
［手順２］  受注台数を前記総切断回数で除した値を算出し、その小数点以下を切り上げた最大担持枚数と、その小数点以下を切り捨てた最小担持枚数とを算出する。
［手順３］  前記総切断回数に前記最大担持枚数を乗じた値を仮枚数とする。
［手順４］  前記仮枚数から契約台数を減じた値を、前記最小担持枚数のシールを担持した帯状台紙を得るための切断回数とする。
［手順５］  前記総切断回数から前記最小担持枚数のシールを担持した帯状台紙を得るための切断回数を減じた値を、前記最大担持枚数のシールを担持した帯状台紙を得るための切断回数とする。
【００２２】
上記手順１〜手順５を数式で示すと、以下の様になる。
【００２３】
［手順１］  総切断回数＝契約数÷最大値・・・（小数点以下切り上げ）
［手順２］  最大担持枚数＝契約数÷総切断回数・・・（小数点以下切り上げ）
最小担持枚数＝契約数÷総切断回数・・・（小数点以下切り捨て）
［手順３］  仮枚数＝総切断回数×最大担持枚数
［手順４］  最小担持枚数の帯状台紙を準備するための切断回数＝仮枚数−契約数
［手順５］  最大担持枚数の帯状台紙を準備するための切断回数＝総切断回数−最小担持枚数における切断回数
【００２４】
この（６−１）の構成を備えることにより、切断回数を最小とし、かつ、帯状台紙の長さを平均化するための切断条件を容易に決定することができる。
【発明の効果】
【００２５】
本発明によれば、遊技機の受注契約毎に出荷持に必要な製造番号シールを、手作業によらずに、装置によって準備することができる。これによって、シールを準備するための作業の軽減を図ることができる。
【００２６】
また、（２−１）の構成をも備えた本発明の装置では、ロール状台紙から切り分けられた帯状台紙の長さを平均化することができるので、その管理、保管等に支障を来さない。
【００２７】
さらに、（５−１）及び（５−２）の構成をも備えた本発明の装置によれば、ロール状台紙を帯状台紙に単に切り分けるだけでなく、製造月を記入する必要のあるシールに対して、切り分け作業と並行して自動的に製造月を印刷できるので、作業性の向上と共に、インクの滲み等の問題も軽減することができる。
【発明を実施するための最良の形態】
【００２８】
以下、本発明を具体化した実施形態を説明する。実施形態としての遊技機製造番号シール準備装置１は、図１に示す様に、ホスト１０と、パーソナルコンピュータ２０と、３台のラベルプリンタ３１〜３３と、これらを接続するＬＡＮ（Local Area Network）４０とから構成されている。
【００２９】
ホスト１０は、ホールとの受注契約、製品情報、生産予定、物流情報など、生産管理や受発注管理等のための各種データを蓄積している。ホスト１０に蓄積されている各種データの内、受注契約に関するデータは、受注契約先のホール名と、当該ホールに納入すべき遊技機の製造番号と、納入日とが対応付けられたデータとなっている。従って、ホール名と納入日とで契約データを検索することができる。本実施形態におけるホスト１０は、本発明における「契約データ管理手段」に相当するものである。
【００３０】
パーソナルコンピュータ２０は、各種演算処理プログラムをインストールされており、特に、本実施形態においては、後述する様な製造番号シール管理プログラムがインストールされている。本実施形態におけるパーソナルコンピュータ２０は、本発明における「切断条件決定手段」及び「動作制御手段」に相当する。
【００３１】
３台のラベルプリンタ３１〜３３は、印刷機能に加えて、ロール状台紙を切断するカッタをも備えたものである。３台の内、ラベルプリンタ３１は、遊技機枠に貼付する枠番号シールに製造月を印刷すると共に、所定長さに切断するために使用するものである。以下、ラベルプリンタ３１を、「枠番号シール用カッタ付きプリンタ装置３１」という。また、ラベルプリンタ３２は、遊技盤に貼付する遊技盤番号シールに製造月を印刷すると共に、所定長さに切断するために使用するものである。以下、ラベルプリンタ３２を、「遊技盤番号シール用カッタ付きプリンタ装置３２」という。一方、ラベルプリンタ３３は、遊技基板に貼付する遊技基板管理番号シールを所定長さに切断するために使用するものであって、本実施形態においては、印刷機能は利用しない。以下、ラベルプリンタ３３を、「基板管理番号シール用カッタ装置３３」という。これら３台のラベルプリンタ３１〜３３は、本発明における「切断装置」に相当する。
【００３２】
本実施形態では、図１に示す様に、枠番号シール用カッタ付きプリンタ装置３１に対して枠番号シールロール５１が、遊技盤番号シール用カッタ付きプリンタ装置３２に対して遊技盤番号シールロール５２が、基板管理番号シール用カッタ装置３３に対して基板管理番号シールロール５３が、それぞれセットされる。
【００３３】
枠番号シールロール５１は、遊技機の枠に貼付するための枠番号が印刷された枠番号シール５１ａを担持した台紙をロール状にしたものである。また、遊技盤番号シールロール５２は、遊技盤に貼付するための遊技盤番号が印刷された遊技盤番号シール５２ａを担持した台紙をロール状にしたものである。さらに、基板管理番号シールロール５３は、遊技機の基板に貼付するための基板管理番号が印刷された基板管理番号シール５３ａを担持した台紙をロール状にしたものである。
【００３４】
これら枠番号シール５１ａ、遊技盤番号シール５２ａ及び基板管理番号シール５３ａには、製造番号（保証番号）が印刷されている。この製造番号は、顧客（ホール）との受注契約時に決定される。遊技機の製造・販売においては、特定のホールに特定の製造番号を印刷したシールが貼られた遊技機を出荷することが義務付けられている。
【００３５】
ここで、枠番号シール５１ａと遊技盤番号シール５２ａは同じサイズであるが、基板管理番号シール５３ａは、これらより大きなサイズとなっている。また、枠番号シール５１ａと遊技盤番号シール５２ａには、製造月も印刷することが要求される。
【００３６】
次に、本実施形態においてパーソナルコンピュータ２０が製造番号シール管理プログラムに従って、「切断条件決定手段」及び「動作制御手段」として実行する演算処理の内容を、図２のフローチャートを参照しながら説明する。
【００３７】
まず、オペレータは、パーソナルコンピュータ２０を操作して製造番号シール管理プログラムを起動する。すると、図２のフローチャートの演算処理プログラムが起動する。この演算処理プログラムは、起動されるとホール名及び納入日の入力を求め（Ｓ１０）、入力を待つ（Ｓ２０）。これを受けてオペレータがキーボードを操作して遊技機を納入すべきホールの名称及び納入日を入力すると（Ｓ２０：ＹＥＳ）、確定してよいか否かを問い合わせる（Ｓ３０，Ｓ４０）。これを受けてオペレータが確定操作をすると（Ｓ４０：ＹＥＳ）、ＬＡＮ４０を介してホスト１０との接続処理を実行する（Ｓ５０）。
【００３８】
ホスト１０との接続処理が完了すると、オペレータによって入力・確定されたホール名及び納入日を検索タームとして、ホスト１０に蓄積されている受注契約データから該当する契約データを読み出す（Ｓ６０）。そして、読み出した契約データから、オペレータが入力したホール名及び納入日に対応する遊技機の契約数を特定する（Ｓ７０）。
【００３９】
こうしてこれから製造番号シールの処理をしようとするホールの遊技機受注台数が特定できたら、切断条件決定処理を実行する（Ｓ１００）。この切断条件決定処理は、受注台数と、予め設定されている最大値とに基づいて、枠番号シール用カッタ付きプリンタ装置３１、遊技盤番号シール用カッタ付きプリンタ装置３２及び基板管理番号シール用カッタ装置３３に対する制御指令を算出する処理である。その詳しい内容を、図３，図４の切断条件決定処理ルーチンを参照しつつ説明する。
【００４０】
切断条件決定処理ルーチンでは、まず、枠番号シール用カッタ付きプリンタ装置３１及び遊技盤番号シール用カッタ付きプリンタ装置３２に対して指令するための切断条件を決定するために、以下の演算処理を実行する。
【００４１】
この演算処理では、まず、「最大値」として、枠番号シール５１ａ及び遊技盤番号シール５２ａについて設定されている値を読み出す（Ｓ１１０）。そして、Ｓ１１０で読み出した「最大値」と、Ｓ７０で特定した「契約数」とに基づいて、「契約数」÷「最大値」を算出し（Ｓ１２０）、この算出結果の小数点以下を切り上げた値を「総切断回数」と決定する（Ｓ１２５）。次に、「契約数」÷「総切断回数」を算出し（Ｓ１３０）、小数点以下を切り上げた値を「最大担持枚数」と決定すると共に（Ｓ１３５）、逆に小数点以下を切り捨てた値を「最小担持枚数」と決定する（Ｓ１４５）。
【００４２】
次に、「総切断回数」×「最大担持枚数」を算出し（Ｓ１５０）、この値を「仮枚数」と決定する（Ｓ１５５）。そして、「仮枚数」−「契約数」を算出し（Ｓ１６０）、この値を「最小担持枚数分の帯状台紙を準備するための切断回数（以下、「最小担持枚数の切断回数」という。）として決定する（Ｓ１６５）。続いて、「総切断回数」−「最小担持枚数の切断回数」を算出し（Ｓ１７０）、この値を「最大担持枚数分の帯状台紙を準備するための切断回数（以下、「最大担持枚数の切断回数」という。）」と決定する（Ｓ１７５）。
【００４３】
続いて、基板管理番号シール用カッタ装置３３に対して指令するための切断条件を決定するために、以下の演算処理を実行する。
【００４４】
この演算処理では、まず、「最大値」として、基板管理番号シール５３ａについて設定されている値を読み出す（Ｓ２１０）。そして、Ｓ２１０で読み出した「最大値」と、Ｓ７０で特定した「契約数」とに基づいて、「契約数」÷「最大値」を算出し（Ｓ２２０）、この算出結果の小数点以下を切り上げた値を「総切断回数」と決定する（Ｓ２２５）。次に、「契約数」÷「総切断回数」を算出し（Ｓ２３０）、小数点以下を切り上げた値を「最大担持枚数」と決定すると共に（Ｓ２３５）、逆に小数点以下を切り捨てた値を「最小担持枚数」と決定する（Ｓ２４５）。
【００４５】
次に、「総切断回数」×「最大担持枚数」を算出し（Ｓ２５０）、この値を「仮枚数」と決定する（Ｓ２５５）。そして、「仮枚数」−「契約数」を算出し（Ｓ２６０）、この値を「最小担持枚数分の帯状台紙を準備するための切断回数（以下、「最小担持枚数の切断回数」という。）として決定する（Ｓ２６５）。続いて、「総切断回数」−「最小担持枚数の切断回数」を算出し（Ｓ２７０）、この値を「最大担持枚数分の帯状台紙を準備するための切断回数（以下、「最大担持枚数の切断回数」という。）」と決定する（Ｓ２７５）。
【００４６】
ここで、切断条件決定処理ルーチンにおいて、枠番号シール用カッタ付きプリンタ装置３１及び遊技盤番号シール用カッタ付きプリンタ装置３２に対する指令を区別しないのは、前述の通り、本実施形態では、枠番号シール５１ａと遊技盤番号シール５２ａは、同じサイズだからである。なお、本実施形態では、枠番号シール５１ａ及び遊技盤番号シール５２ａに対し、基板管理番号シール５３ａのサイズが約２倍の長さとなっていることから、枠番号シール５１ａ及び遊技盤番号シール５２ａについては「最大値」として１４枚が設定されており、基板管理番号シール５３ａについては「最大値」として７枚が設定されている。この設定により、最大値分のシールを担持した帯状台紙の長さが、ほぼ同じになる様に工夫されているのである。
【００４７】
こうして、切断条件決定処理ルーチンによる演算処理が完了すると、図３に示す様に、Ｓ１３５，Ｓ１４５，Ｓ１６５及びＳ１７５で決定した「最大担持枚数」，「最小担持枚数」，「最小担持枚数の切断回数」及び「最大担持枚数の切断回数」と、本ルーチンのＳ４０で確定した「納入日（図２参照）」とを、枠番号シール用カッタ付きプリンタ装置３１に対する切断及び印刷動作制御条件として記憶する（Ｓ３１０）。同じく、切断条件決定処理ルーチンのＳ１３５，Ｓ１４５，Ｓ１６５及びＳ１７５で決定した「最大担持枚数」，「最小担持枚数」，「最小担持枚数の切断回数」及び「最大担持枚数の切断回数」と、本ルーチンのＳ４０で確定した「納入日」とを、遊技盤番号シール用カッタ付きプリンタ装置３２に対する動作制御条件として記憶する（Ｓ３２０）。また、切断条件決定処理ルーチンのＳ２３５，Ｓ２４５，Ｓ２６５及びＳ２７５で決定した「最大担持枚数」，「最小担持枚数」，「最小担持枚数の切断回数」及び「最大担持枚数の切断回数」を、基板管理番号シール用カッタ装置３２に対する切断動作制御条件として記憶する（Ｓ３３０）。
【００４８】
こうして動作制御条件が決定できたら、シールロール５１〜５３がセットされているか否かを問い合わせ（Ｓ３４０）、セットされているとの回答が得られたら（Ｓ３５０：ＹＥＳ）、Ｓ３１０で記憶した切断及び印刷動作制御条件を枠番号シール用カッタ付きプリンタ装置３１に対して出力し（Ｓ３６０）、Ｓ３２０で記憶した切断及び印刷動作制御条件を遊技盤番号シール用カッタ付きプリンタ装置３２に対して出力し（Ｓ３７０）、Ｓ３３０で記憶した切断動作制御条件を基板管理番号シール用カッタ装置３３に対して出力する（Ｓ３８０）。
【００４９】
次に、一例として、契約数４７台のホールについて、上記処理を実行した場合の演算過程について説明する。なお、この例においては、最終的に得られる帯状台紙が特定の長さを超えず、帯状台紙の数を最小とし、かつ、帯状台紙同士の長さの差を最小とする様に切り分けることにより、次工程（シール台紙の保管・管理）の作業性を高めることを目的として、以下の設定条件を採用する。
【００５０】
［条件１］  帯状に切り分けた台紙に担持するシール枚数を、枠番号シール５１ａ及び遊技盤番号シール５２ａは１４枚以下、基板管理番号シール５３ａは７枚以下とする。
［条件２］  切断する回数を最小回数とする。
［条件３］  同じ種類のシールに対して切り分けられた帯状台紙同士の担持枚数を平均化する。
【００５１】
条件１より、切断条件決定処理ルーチンのＳ１１０の「最大値」は１４、Ｓ２１０の「最大値」は７となる。
【００５２】
条件２は、例えば、１５台の契約数について担持枚数が１４枚以下となる様に切り分ける場合、５枚＋５枚＋５枚（切断３回）と８枚＋７枚（切断２回）のいずれにすべきかというとき、切断回数の少ない８枚＋７枚を採用すべきことを意味する。
【００５３】
条件３は、例えば、４７台の契約数について担持枚数が１４枚以下となる様に切り分ける場合、１３枚＋１３枚＋１１枚＋１０枚（３種類）、１４枚＋１１枚＋１１枚＋１１枚（２種類、枚数差３）、１２枚＋１２枚＋１２枚＋１１枚（２種類、枚数差１）のいずれにすべきかというとき、種類及び枚数差の少ない１２枚＋１２枚＋１２枚＋１１枚を採用すべきことを意味する。
【００５４】
以下、上記設定条件に従った演算例を記載する。
【００５５】
（１）枠番号シールロール５１及び遊技盤番号シールロール５２についての切断条件決定の演算過程
［手順１］  総切断枚数を決定する（Ｓ１２５）。
契約数÷最大値＝４７÷１４＝３．３５７
小数点以下切り上げにより、総切断枚数＝４
［手順２］  最大担持枚数と最小担持枚数を決定する（Ｓ１３５，Ｓ１４５）。
契約数÷総切断回数＝４７÷４＝１１．７５
小数点以下切り上げにより、最大担持枚数＝１２
小数点以下切り捨てにより、最小担持枚数＝１１
［手順３］  仮枚数を決定する（Ｓ１５５）。
仮枚数＝総切断回数×最大担持枚数＝４×１２＝４８
［手順４］  最小担持枚数の切断回数を決定する（Ｓ１６５）。
最小担持枚数の切断回数＝仮枚数−契約数＝４８−４７＝１
［手順５］  最大担持枚数の切断回数を決定する（Ｓ１７５）。
最大担持枚数の切断回数＝総切断回数−最小担持枚数の切断回数＝４−１＝３
【００５６】
（２）基板管理番号シールロール５３についての切断条件決定の演算過程
［手順１］  総切断枚数を決定する（Ｓ２２５）。
契約数÷最大値＝４７÷７＝６．７１４
小数点以下切り上げにより、総切断枚数＝７
［手順２］  最大担持枚数と最小担持枚数を決定する（Ｓ２３５，Ｓ２４５）。
契約数÷総切断回数＝４７÷７＝６．７１４
小数点以下切り上げにより、最大担持枚数＝７
小数点以下切り捨てにより、最小担持枚数＝６
［手順３］  仮枚数を決定する（Ｓ２５５）。
仮枚数＝総切断回数×最大担持枚数＝７×７＝４９
［手順４］  最小担持枚数の切断回数を決定する（Ｓ２６５）。
最小担持枚数の切断回数＝仮枚数−契約数＝４９−４７＝２
［手順５］  最大担持枚数の切断回数を決定する（Ｓ２７５）。
最大担持枚数の切断回数＝総切断回数−最小担持枚数の切断回数＝７−２＝５
【００５７】
以上の演算の結果に基づいて、契約数４７台のホールに対して出荷するためのシールロールの切り分け状況を図５に示す。
【００５８】
図示の通り、枠番号シール５１ａを担持した帯状台紙６１ａ〜６１ｄは本数＝４，種類＝２，枚数差＝１となり、遊技盤号シール５２ａを担持した帯状台紙６２ａ〜６２ｄも本数＝４，種類＝２，枚数差＝１となり、基板管理番号シール５３ａを担持した帯状台紙６３ａ〜６３ｇは本数＝７，種類＝２，枚数差＝１となり、各帯状台紙６１ａ〜６１ｄ，６２ａ〜６２ｄ，６３ａ〜６３ｇは、極端に長いものや短いものにならず、かつ、本数も最小となっている。従って、切断後の保管・管理が容易である。
【００５９】
また、この切断動作を実行する際、ラベルプリンタ（枠番号シール用カッタ付きプリンタ装置）３１は、パーソナルコンピュータ２０から指令された切断条件に従って、枠番号シールロール５１から帯状台紙６１ａ〜６１ｄを切り分ける際に、シール１枚ずつ間欠的に送り動作を行って担持枚数をカウントすると共に、この間欠送り動作と並行して納入日に対応した製造月を枠番号シール５１ａに印刷する。同じく、ラベルプリンタ（遊技盤番号シール用カッタ付きプリンタ装置）３２は、パーソナルコンピュータ２０から指令された切断条件に従って、遊技盤番号シールロール５２から帯状台紙６２ａ〜６２ｄを切り分ける際に、シール１枚ずつ間欠的に送り動作を行って担持枚数をカウントすると共に、この間欠送り動作と並行して納入日に対応した製造月を遊技盤番号シール５２ａに印刷する。この結果、各帯状台紙６１ａ〜６１ｄに担持された枠番号シール５１ａ及び各帯状台紙６２ａ〜６２ｄに担持された遊技盤号シール５２ａには、納入日に対応する製造月が印刷されることになる。
【００６０】
以上の様に構成した結果、本実施形態によれば、遊技機を受注契約毎に出荷する際に必要となる製造番号シールを、手作業によらずに、正確かつ容易に準備することができる。また、ロール状台紙から切り分けられた帯状台紙の長さを平均化することができる。さらに、製造月を印刷すべきシールには、自動的にこれを印刷することもできる。
【００６１】
よって、本実施形態によれば、特定のホールに特定の製造番号シールが貼られた遊技機を出荷するための準備作業を確実に、効率よく実行することができると共に、こうして準備された製造番号シールは、長過ぎず、短すぎず、かつ、長さがほぼ同じになるので、遊技機にシールを貼付するまでの保管・管理の作業をも容易にすることができる。
【００６２】
以上、発明を実施するための最良の形態としての一実施形態を説明したが、本発明は、これに限定されるものではなく、その要旨を逸脱しない範囲内における種々の変更が可能である。
【００６３】
例えば、実施形態では、切断機能を有するラベルプリンタ３１〜３３を利用したが、切断機能だけを有するカッター装置と、印刷機能だけを有する印刷装置とを併設する様に構成してもよい。
【図面の簡単な説明】
【００６４】
【図１】実施形態の遊技機製造番号シール準備装置の構成を示す模式図である。
【図２】実施形態における製造番号シール管理プログラムの処理手順を示すフローチャートである。
【図３】実施形態の製造番号シール管理プログラム中の切断条件決定処理ルーチンのフローチャートである。
【図４】実施形態の製造番号シール管理プログラム中の切断条件決定処理ルーチンのフローチャートである。
【図５】実施形態による切り分け例を示す模式図である。
【符号の説明】
【００６５】
１・・・遊技機製造番号シール準備装置
１０・・・ホスト
２０・・・パーソナルコンピュータ
３１・・・ラベルプリンタ（枠番号シール用カッタ付きプリンタ装置）
３２・・・ラベルプリンタ（遊技盤番号シール用カッタ付きプリンタ装置）
３３・・・ラベルプリンタ（基板管理番号シール用カッタ装置）
４０・・・ＬＡＮ
５１・・・枠番号シールロール
５１ａ・・・枠番号シール
５２・・・遊技盤番号シールロール
５２ａ・・・遊技盤番号シール
５３・・・基板管理番号シールロール
５３ａ・・・基板管理番号シール
６１ａ〜６１ｄ・・・枠番号シール５１ａを担持した帯状台紙
６２ａ〜６２ｄ・・・遊技盤号シール５２ａを担持した帯状台紙
６３ａ〜６３ｇ・・・基板管理番号シール５３ａを担持した帯状台紙
【図１】
0004481926.tif 000002
【図２】
0004481926.tif 000003
【図３】
0004481926.tif 000004
【図４】
0004481926.tif 000005
【図５】
0004481926.tif 000006